【手続補正書】
【提出日】平成17年11月10日(2005.11.10)
【手続補正１】
【補正対象書類名】明細書
【補正対象項目名】特許請求の範囲
【補正方法】変更
【補正の内容】
【特許請求の範囲】
【請求項１】  ＯＦＤＭ（直交周波数分割多重化）方式により互いに直交関係を満たす複数のサブキャリアを多重化したシンボル信号を受信して復調するＯＦＤＭ用復調装置であって、
所定の時間区間の時間窓において前記シンボル信号を取り込み、当該シンボル信号に対して直交変換を実行することにより周波数領域のＯＦＤＭ復調信号を算出する直交変換手段と、
前記時間窓の位置のズレ量を検出して前記直交変換手段に出力する窓位置誤差算出手段と、を備えており、
前記窓位置誤差検出手段は、
前記ＯＦＤＭ復調信号から、既知のパターンで埋め込まれた複数のパイロット信号を抽出するパイロット信号抽出手段と、
周波数方向に隣接する一組の前記パイロット信号のうち、一方の前記パイロット信号と他方の前記パイロット信号の複素共役との積を算出する手段と、
前記積から位相成分を抽出する位相成分抽出手段と、
前記位相成分に基づいて前記時間窓の位置のズレ量を算出して前記直交変換手段に出力する誤差算出手段と、を有し、
前記直交変換手段は、前記誤差算出手段から入力する前記ズレ量に基づいて前記時間窓の位置を補正し前記直交変換を実行する、
ことを特徴とするＯＦＤＭ用復調装置。
【請求項２】  請求項１記載のＯＦＤＭ用復調装置であって、
前記積の平均値を算出する平均化手段、
をさらに備え、
前記位相成分抽出手段は、
前記積の平均値から該平均値の位相成分を抽出する、
ことを特徴とするＯＦＤＭ用復調装置。
【請求項３】  請求項１又は２記載のＯＦＤＭ用復調装置であって、
前記シンボル信号は、周波数領域を複数に分割した階層構造を有しており、
前記窓位置誤差検出手段は、前記ＯＦＤＭ復調信号の一部階層のみを利用して前記ズレ量を検出する、
ＯＦＤＭ用復調装置。
【請求項４】  請求項３記載のＯＦＤＭ用復調装置であって、前記一部階層は、既知のパターンで所定のサブキャリアに埋め込まれたパイロット信号を含む同期変調セグメントから構成されている、ＯＦＤＭ用復調装置。
【請求項５】  請求項１〜４の何れか１項に記載のＯＦＤＭ用復調装置であって、前記直交変換手段は前記直交変換として高速フーリエ変換を実行する、ＯＦＤＭ用復調装置。
【請求項６】  ＯＦＤＭ（直交周波数分割多重化）方式により互いに直交関係を満たす複数のサブキャリアを多重化したシンボル信号を受信して復調するＯＦＤＭ用復調方法であって、
（ｂ）所定の時間区間の時間窓において前記シンボル信号を取り込み、当該シンボル信号に対して直交変換を実行することにより周波数領域のＯＦＤＭ復調信号を算出する工程と、
（ｃ）前記ＯＦＤＭ復調信号から、既知のパターンで埋め込まれた複数のパイロット信号を抽出する工程と、
（ｄ）周波数方向に隣接する一組の前記パイロット信号のうち、一方の前記パイロット信号と他方の前記パイロット信号の複素共役との積を算出する工程と、
（ｆ）前記積から位相成分を抽出する工程と、
（ｇ）前記位相成分に基づいて前記時間窓の位置のズレ量を算出する工程と、
を備え、
前記工程（ｂ）は、前記工程（ｇ）で算出された前記ズレ量を用いて前記時間窓の位置を調整する工程を含む、
ことを特徴とするＯＦＤＭ用復調方法。
【請求項７】  請求項６記載のＯＦＤＭ用復調方法であって、
（ｅ）前記工程（ｄ）で算出された前記積の平均値を算出する工程、
をさらに備え、
前記工程（ｆ）は、前記平均値から該平均値の位相成分を抽出する、
ことを特徴とするＯＦＤＭ用復調方法。
【請求項８】  請求項６又は７記載のＯＦＤＭ用復調方法であって、
前記シンボル信号は、周波数領域を複数に分割した階層構造を有しており、
前記工程（ｃ）は、前記工程（ｂ）で算出された前記ＯＦＤＭ復調信号の一部階層のみの前記パイロット信号を抽出する工程である、ＯＦＤＭ用復調方法。
【請求項９】  請求項８記載のＯＦＤＭ用復調方法であって、前記一部階層は、既知のパターンで所定のサブキャリアに埋め込まれたパイロット信号を含む同期変調セグメントから構成されている、ＯＦＤＭ用復調方法。
【請求項１０】  請求項６〜９の何れか１項に記載のＯＦＤＭ用復調方法であって、前記工程（ｂ）は、前記直交変換として高速フーリエ変換を実行する工程である、ＯＦＤＭ用復調方法。
【手続補正２】
【補正対象書類名】明細書
【補正対象項目名】００１２
【補正方法】変更
【補正の内容】
【００１２】
【課題を解決するための手段】
上記課題を解決するため、請求項１に係る発明は、ＯＦＤＭ（直交周波数分割多重化）方式により互いに直交関係を満たす複数のサブキャリアを多重化したシンボル信号を受信して復調するＯＦＤＭ用復調装置であって、所定の時間区間の時間窓において前記シンボル信号を取り込み、当該シンボル信号に対して直交変換を実行することにより周波数領域のＯＦＤＭ復調信号を算出する直交変換手段と、前記時間窓の位置のズレ量を検出して前記直交変換手段に出力する窓位置誤差算出手段と、を備えており、前記窓位置誤差検出手段は、前記ＯＦＤＭ復調信号から、既知のパターンで埋め込まれた複数のパイロット信号を抽出するパイロット信号抽出手段と、周波数方向に隣接する一組の前記パイロット信号のうち、一方の前記パイロット信号と他方の前記パイロット信号の複素共役との積を算出する手段と、前記積から位相成分を抽出する位相成分抽出手段と、前記位相成分に基づいて前記時間窓の位置のズレ量を算出して前記直交変換手段に出力する誤差算出手段と、を有し、前記直交変換手段は、前記誤差算出手段から入力する前記ズレ量に基づいて前記時間窓の位置を補正し前記直交変換を実行することを特徴としたものである。
【手続補正３】
【補正対象書類名】明細書
【補正対象項目名】００１３
【補正方法】変更
【補正の内容】
【００１３】
請求項２に係る発明は、請求項１記載のＯＦＤＭ用復調装置であって、前記積の平均値を算出する平均化手段、をさらに備え、前記位相成分抽出手段は、前記積の平均値から該平均値の位相成分を抽出する、ことを特徴とするものである。
【手続補正４】
【補正対象書類名】明細書
【補正対象項目名】００１４
【補正方法】変更
【補正の内容】
【００１４】
請求項３に係る発明は、請求項１又は２記載のＯＦＤＭ用復調装置であって、前記シンボル信号は、周波数領域を複数に分割した階層構造を有しており、前記窓位置誤差検出手段は、前記ＯＦＤＭ復調信号の一部階層のみを利用して前記ズレ量を検出するものである。
【手続補正５】
【補正対象書類名】明細書
【補正対象項目名】００１５
【補正方法】変更
【補正の内容】
【００１５】
請求項４に係る発明は、請求項３記載のＯＦＤＭ用復調装置であって、前記一部階層は、既知のパターンで所定のサブキャリアに埋め込まれたパイロット信号を含む同期変調セグメントから構成されているものである。
【手続補正６】
【補正対象書類名】明細書
【補正対象項目名】００１６
【補正方法】変更
【補正の内容】
【００１６】
請求項５に係る発明は、請求項１〜４の何れか１項に記載のＯＦＤＭ用復調装置であって、前記直交変換手段は前記直交変換として高速フーリエ変換を実行するものである。
【手続補正７】
【補正対象書類名】明細書
【補正対象項目名】００１７
【補正方法】変更
【補正の内容】
【００１７】
次に、請求項６に係る発明は、ＯＦＤＭ（直交周波数分割多重化）方式により互いに直交関係を満たす複数のサブキャリアを多重化したシンボル信号を受信して復調するＯＦＤＭ用復調方法であって、（ｂ）所定の時間区間の時間窓において前記シンボル信号を取り込み、当該シンボル信号に対して直交変換を実行することにより周波数領域のＯＦＤＭ復調信号を算出する工程と、（ｃ）前記ＯＦＤＭ復調信号から、既知のパターンで埋め込まれた複数のパイロット信号を抽出する工程と、（ｄ）周波数方向に隣接する一組の前記パイロット信号のうち、一方の前記パイロット信号と他方の前記パイロット信号の複素共役との積を算出する工程と、（ｆ）前記積から位相成分を抽出する工程と、（ｇ）前記位相成分に基づいて前記時間窓の位置のズレ量を算出する工程と、を備え、前記工程（ｂ）は、前記工程（ｇ）で算出された前記ズレ量を用いて前記時間窓の位置を調整する工程を含む、ことを特徴とするものである。
【手続補正８】
【補正対象書類名】明細書
【補正対象項目名】００１８
【補正方法】変更
【補正の内容】
【００１８】
請求項７に係る発明は、請求項６記載のＯＦＤＭ用復調方法であって、（ｅ）前記工程（ｄ）で算出された前記積の平均値を算出する工程、をさらに備え、前記工程（ｆ）は、前記平均値から該平均値の位相成分を抽出する、ことを特徴とするものである。
【手続補正９】
【補正対象書類名】明細書
【補正対象項目名】００１９
【補正方法】変更
【補正の内容】
【００１９】
請求項８に係る発明は、請求項６又は７記載のＯＦＤＭ用復調方法であって、前記シンボル信号は、周波数領域を複数に分割した階層構造を有しており、前記工程（ｃ）は、前記工程（ｂ）で算出された前記ＯＦＤＭ復調信号の一部階層のみの前記パイロット信号を抽出する工程である。
請求項９に係る発明は、請求項８記載のＯＦＤＭ用復調方法であって、前記一部階層は、既知のパターンで所定のサブキャリアに埋め込まれたパイロット信号を含む同期変調セグメントから構成されている。
請求項１０に係る発明は、請求項６〜９の何れか１項に記載のＯＦＤＭ用復調方法であって、前記工程（ｂ）は、前記直交変換として高速フーリエ変換を実行する工程である。
【手続補正１０】
【補正対象書類名】明細書
【補正対象項目名】００６９
【補正方法】変更
【補正の内容】
【００６９】
【発明の効果】
以上の如く、本発明の請求項１に係るＯＦＤＭ用復調装置および請求項６に係るＯＦＤＭ用復調方法によれば、時間窓の位置のズレ量を算出する際の演算回数が少なくて済むため復調処理の短縮化が可能である。また、伝送路においてレイリーフェージングなどによるマルチパス妨害が発生し、その伝送路のインパルス応答が時間的に変動する場合でも、時間窓の位置の微調整を高精度に行うことが可能である。
【手続補正１１】
【補正対象書類名】明細書
【補正対象項目名】００７０
【補正方法】変更
【補正の内容】
【００７０】
請求項３および請求項８によれば、上記ＯＦＤＭ復調信号の全階層のパイロット信号を用いずに、一部階層のパイロット信号のみを用いて時間窓の位置調整を実行でき、部分受信の場合でも時間窓の位置の微調整を高精度に実行できる。
【手続補正１２】
【補正対象書類名】明細書
【補正対象項目名】００７１
【補正方法】変更
【補正の内容】
【００７１】
請求項４および請求項９によれば、日本のデジタル放送規格では、１つのシンボル信号中に、同期変調セグメントと差動変調セグメントとが予測不能な配置で混在し得る場合があるが、かかる場合でも、１つの同期変調セグメント中のパイロット信号のみを用いて時間窓のズレ量を高精度に算出することが可能である。
【手続補正１３】
【補正対象書類名】明細書
【補正対象項目名】００７２
【補正方法】変更
【補正の内容】
【００７２】
請求項５および請求項１０によれば、周波数領域のＯＦＤＭ復調信号を高速に算出することが可能である。